(57)【要約】【課題】記録媒体カートリッジに取り付けて用いるカートリッジラベルであって、非接触式メモリのＩＣ部のＩＣチップのみならず、アンテナ部の損傷防止にも配慮したカートリッジラベルを提供すること。【解決手段】カートリッジケース内に記録媒体が収容された記録媒体カートリッジに添付可能な、非接触式メモリを含むカートリッジラベルであって、前記非接触式メモリは、当該記録媒体カートリッジやこれに収容される記録媒体に関する情報を記録するための情報記憶および信号処理を行うＩＣ部と、信号の送受信を行うためのアンテナ部とを有し、前記カートリッジラベル上には、少なくとも、前記アンテナ部のアンテナコイル上を避けた情報記載個所を指示するアンテナ部保護表示を施したことを特徴とするカートリッジラベル。【選択図】図２５
2008293646.tif 000002
【特許請求の範囲】
【請求項１】
カートリッジケース内に記録媒体が収容された記録媒体カートリッジに添付可能な、非接触式メモリを含むカートリッジラベルであって、
前記非接触式メモリは、当該記録媒体カートリッジやこれに収容される記録媒体に関する情報を記録するための情報記憶および信号処理を行うＩＣ部と、信号の送受信を行うためのアンテナ部とを有し、
前記カートリッジラベル上には、少なくとも、前記アンテナ部のアンテナコイル上を避けた情報記載個所を指示するアンテナ部保護表示を施したことを特徴とするカートリッジラベル。
【請求項２】
前記アンテナ部保護表示は、印刷により形成するか、または予めアンテナ部の大きさに合わせて用意したシールを貼り付けるかのいずれかである請求項１に記載のカートリッジラベル。
【請求項３】
前記アンテナ部保護表示は、前記アンテナ部を構成するループ状アンテナの内側のエリアを情報記載エリアとするものである請求項１または２に記載のカートリッジラベル。
【請求項４】
前記アンテナ部保護表示は、前記アンテナ部を構成するループ状アンテナの内側のエリアが前記情報記載エリアであることを示す、デザインと一体化されているものである請求項１〜３のいずれかに記載のカートリッジラベル。
【請求項５】
前記非接触式メモリは、再使用可能である請求項１〜４のいずれかに記載のカートリッジラベル。
【請求項６】
前記カートリッジラベルは、記録媒体カートリッジに設けたスライド溝内に挿通・引出し可能に構成され、用済み後は、当該記録媒体カートリッジのスライド溝から引出して、別の記録媒体カートリッジに挿通・保持するように構成される請求項５に記載のカートリッジラベル。
【発明の詳細な説明】
【技術分野】
【０００１】
本発明は、磁気テープ、磁気ディスク等の磁気式記録媒体、光磁気ディスク、光ディスク等の光学式記録媒体などを内蔵してなる記録媒体カートリッジ、例えば磁気テープカセットや磁気テープカートリッジ等の記録媒体カートリッジに関し、すなわち磁気テープ、磁気ディスク等の磁気式記録媒体や光学式記録媒体等の記録媒体をカートリッジケース内に収納してなる記録媒体カートリッジの技術分野に属する。
【０００２】
詳しくは、本発明は、当該記録媒体カートリッジの情報（データ）や当該記録媒体カートリッジに収容されている記録媒体に記録されている情報（データ）の内容に関する情報（データ）を記録する、例えばカートリッジメモリ（ＣＭ）と呼ばれる非接触式メモリ（ＩＣメモリ）を有する、例えば、収納した、好ましくは情報の読取り・書込みが容易に可能な形に取り付けた記録媒体カートリッジに関する。なお、上記カートリッジメモリは、情報の記憶および信号処理を行うＩＣ部（ＩＣメモリ）と、信号の送受信を行いデータを伝送するアンテナ部とを有するものである。
【０００３】
より具体的には、本発明は、磁気テープや磁気ディスクや光学式記録媒体などの各種の記録媒体カートリッジに用いることができるカートリッジラベルに関し、特に当該記録媒体カートリッジ自体およびそれに収容されている記録媒体に記録された情報（データ）の内容に関する情報（データ）を記録する非接触式メモリ（ＩＣメモリ、カートリッジメモリ（ＣＭ））を有するカートリッジラベルに関するものである。
【背景技術】
【０００４】
従来から、デジタル信号を高密度で記録することができる小型軽量の磁気テープカセットや磁気テープカートリッジが知られている。例えば、アナログ信号である音声信号をデジタル信号、例えばＰＣＭ信号に変換して記録および／または再生するための磁気テープカセットとしてＤＡＴ（ＤigitalＡudioＴape）が知られている。また、コンピュータのデータを記録するための、小型の磁気テープカセットや磁気テープカートリッジとしては、例えば、ＪＩＳＸ６１２７（１９９２），ＪＩＳＸ６１２９（１９９３），ＪＩＳＸ６１３０（１９９６），ＪＩＳＸ６１４１（１９９３）などにその構造，寸法諸元が規定されているものが知られている。
【０００５】
このように、コンピュータ等の外部記憶手段として、例えば、外部記憶装置に用いられる記録媒体等として、特に、コンピュータメモリのバックアップ用の記録媒体として用いられている記録媒体カートリッジには、単一のリールに磁気テープを巻装し、このリールをカートリッジケース内に回転自在に収容した１リールタイプのもの、カートリッジケース内に単一の磁気ディスク（または光磁気ディスク）が回転可能に収容されたタイプのもの、磁気テープを巻回した一対の巻取りハブを収容するタイプのもの（例えば、上述したＪＩＳ  Ｘ６１４１等にその構造、寸法諸元が規定されている開口部を有するタイプのものを含む）など、各種の磁気テープカセットあるいは磁気テープカートリッジや磁気（または光磁気）ディスクカートリッジ等が知られている。これらの磁気テープカートリッジ等の記録媒体カートリッジは、例えば、コンピュータ等のデータ保存用として用いられ、重要な情報が記録されている。
【０００６】
このような磁気テープカートリッジ等の記録媒体カートリッジには、種々の情報が記録されているが、磁気テープや磁気ディスクや光磁気ディスクや光ディスク等（以下、磁気テープを代表例として説明する）からこれらに記録された情報自体を読み出すことなく、記録されている情報の内容や磁気テープ等の種類などを特定するために、磁気テープ等とは別に、カートリッジケースに非接触で情報の書き込みや読み出しができる、カートリッジメモリ（ＣＭ）と呼ばれるＩＣチップ化されたＩＣメモリを用いる非接触式メモリを取り付けることが考えられ、実用化が進められている。このようなカートリッジメモリのカートリッジケースへの取り付けは、ドライブの設計のバリエーションを拡大することやこのカートリッジメモリへのゴミの付着や外部からの衝撃に対する保護の観点から、カートリッジ内部に取り付ける内蔵タイプとされている。
【０００７】
このカートリッジメモリは、磁気テープ等の記録媒体以外に情報を記録できるものであり、情報の記憶および信号処理を行うＩＣ部（ＩＣメモリ）と、信号の送受信を行うアンテナ部とを有し、端子等の接続なく非接触でＩＣ部に情報の書き込みや読み出しをすることができるものである。以下に説明するように、カートリッジメモリ自体は無電源であり、磁気情報の記録再生装置（デッキ）側に配置される信号（データ）の読取書込手段（リーダやライタ）またはその信号送受信手段（アンテナ）から出力された信号を利用して、電磁誘導された誘導電流を用いる電磁誘導方式や静電方式で動作し、電気信号で情報が記録される。
【０００８】
このようなカートリッジメモリを有する１リール方式の磁気テープカートリッジが、特許文献１に開示されている。
図２６に示すように、この磁気テープカートリッジ１００は、信号を送受信するためのアンテナ１１０とＩＣ部１１５とを有する非接触メモリからなるカートリッジメモリ１１６を、外部ケーシング（カートリッジケース）１１８の内部に備えたものである。図示例の磁気テープカートリッジ１００は、通常、図示しない記録再生装置（デッキ）に、図中に矢印１０５で示す方向から挿入される。
【０００９】
ＩＣ部１１５は、例えば、ＩＣメモリ等の、電気信号として情報（データ）の入出力を行うことができる公知のＩＣチップ化された記憶装置（メモリ・デバイス）であり、磁気テープカートリッジ１００に関連する情報や、その磁気テープに記録された内容に関連した情報等を記憶する。
アンテナ１１０は、データの送受信および駆動電力の送信を行うコイルアンテナであって、例えば、デッキ側に設けられている、カートリッジメモリ１１６からまたはそれへの信号の読取書込手段から放出される磁場を変換して、カートリッジメモリ１１６の駆動電力を供給すると共に、ＩＣ部１１５に記憶された情報を信号としてデッキ側の読取書込手段に送信し、また、デッキ側の読取書込手段から発信された信号を受信してＩＣ部１１５に供給する。
【００１０】
図示例においては、カートリッジメモリ１１６は、ＩＣ部１１５とアンテナ１１０とが一体的に構成されたものであり、磁気テープカートリッジ１００内部の底面１２０と背面１２５の近くに、底面１２０と背面１２５の両方に対して約４５°の角度で取り付けられている。
【００１１】
【特許文献１】特開平１１−３１７０５０号公報
【発明の開示】
【発明が解決しようとする課題】
【００１２】
ところで、このような磁気テープカートリッジ等の記録媒体カートリッジにカートリッジメモリを搭載する場合には、カートリッジメモリは、通常、カートリッジの内部構成に応じて、カートリッジメモリを配置可能な空間に、必要に応じて組み立ての作業性や生産性を考慮して、適宜、配置される。
【００１３】
ところが、このようなカートリッジには、上ハーフと下ハーフとを固定してカートリッジを組み上げるビス、ハブブレーキの解除手段を付勢するバネ（ブレーキバネ）等、各種の金属部品が配置される。
ここで、前述のように、カートリッジメモリのような非接触式メモリは、電磁誘導方式や静電方式等によって駆動電力を得、信号の送受信を行う。そのため、非接触式メモリのアンテナ近傍に金属部品が有ると、電力供給が適正になされずに誤動作が生じたり、信号の送受信に悪影響を与え、不適正な信号の送受信が行われてしまう場合がある。
【００１４】
このような問題は、用いられている金属部品を全て樹脂製に変えることができれば解消する。しかしながら、この方法では、部品は高価になり、また、機械的や熱的に強度も低下してしまう可能性も高く、記録媒体カートリッジの品質とコストの両方の面から、非常に困難を伴うという問題があった。
【００１５】
次に、別の従来技術の問題として、上述したように、その構造，寸法諸元が規格として細かく規定されている磁気テープカセットや磁気テープカートリッジにおいて、その中に収容されている磁気テープに記録されている情報の内容を示すために、カートリッジメモリを取り付ける場合、その取り付けに際しては、磁気テープの走行に支障をきたさないように、また、構造的に剛性を低下させることのないように、充分配慮することが必要である。
【００１６】
次に、さらに別の従来技術の問題として、磁気テープカートリッジのようなデータ記録用の記録媒体カートリッジは、カートリッジ自体小さいものもあり、しかもその構造から、その内部は、磁気テープ巻き玉のためのスペースや誤消去防止機構あるいはモード検出機構のためのスペースでほとんどが占められている。さらに、今では、記録容量を増大させるために磁気テープ巻き玉の巻き径が大きくなっており、従来のような組み込み方法では、ますますカートリッジメモリ（メモリＩＣ）をカートリッジ内部に組み入れる事が難しくなっているという問題があった。
【００１７】
続いて、他の従来技術の問題として、カートリッジメモリを上述の図示例のような配置方式で磁気テープカートリッジのような記録媒体カートリッジの内部に取り付けた場合、被取り付け側の記録媒体カートリッジによっては、記録媒体カートリッジを記録再生装置（デッキ）にセットした際に、カートリッジメモリと記録再生装置（デッキ）との間におけるデータ送受信に支障が現われる場合があるという問題があった。
【００１８】
また、さらに他の、上述のようなカートリッジメモリを記録媒体カートリッジへ取り付ける従来方法としては、上述した図２６に示す例の他、例えば、カートリッジメモリを記録媒体カートリッジの背ラベルに組み込んで、ラベルとして記録媒体カートリッジへの取り付けが提案されている。具体的には、例えば、ビデオテープカセットへのカートリッジメモリの取り付け例が、特開平１０−１７７７７６号公報に開示されている。
【００１９】
この技術では、ビデオテープカセット背面に取り付ける背ラベル内に、前述のカートリッジメモリを配置している。すなわち、この背ラベル（カートリッジラベル）では、カートリッジメモリのＩＣ部を構成するＩＣチップ（ＩＣメモリ）をクッション層上に配置し、さらにその上方には保護シートを配置して、取り扱い易いカートリッジメモリの取り付け方法を実現しているものである。
【００２０】
ところで、上述の従来技術に示されているカセットラベルにおいては、ユーザが、当該ビデオテープカセットに記録されている情報の内容などをこのカートリッジラベルに記載する際に、ユーザによっては、ボールペンで高い筆圧をかけるなどの理由により、上記カートリッジラベル中のカートリッジメモリ内のＩＣ部のＩＣチップ（ＩＣメモリ）を傷つけてしまう場合があった。
【００２１】
これに対する対策として、特開平１０−１７７７７６号公報に開示された技術においては、カートリッジラベル内に収容されているカートリッジメモリ内のＩＣチップ（ＩＣメモリ；記憶部と信号処理部とを有する集積回路）が収容されている領域（ＩＣ部）に関しては、ここに実質的に文字・図形などが記載できないようにするために、予め所定の文字図形などが記載されたロゴ記載領域を設けている。
【００２２】
しかし、この従来技術の問題として、ここに開示された従来技術に示されているカートリッジラベルでは、カートリッジメモリ内のＩＣチップの保護については配慮されているが、実際には、アンテナ部についても、アンテナ線（コイル）の損傷（断線など）を防止するため、これと同様に保護することが重要であるという点については配慮がなされていなかった。
【００２３】
本発明の目的は、上述の種々の従来技術における問題点のうちの、記録媒体カートリッジに取り付けて用いるカートリッジラベルであって、非接触式メモリのＩＣ部のＩＣチップのみならず、アンテナ部の損傷防止にも配慮したカートリッジラベルを提供することにある。
【００２４】
また、以下の説明では、上記従来技術の他の問題点の解決策についても言及する。例えば、ＩＣメモリ等の情報記憶および信号処理部（ＩＣ部）と信号の送受信を行うアンテナ部とを有する非接触式メモリ（カートリッジメモリ）が搭載された磁気テープカートリッジ等の記録媒体カートリッジであって、非接触式メモリの誤動作や不適正な信号の送受信が生じることがなく、非接触式メモリへの信号の送受信を安定して、適正に行うことができる記録媒体カートリッジについても説明する。
【００２５】
また、さらに他の問題点を解決するための、磁気テープの走行に支障をきたさず、また、構造的に剛性を低下させることのない位置に、非接触式メモリを取り付け可能とした磁気テープカセットである記録媒体カートリッジについても説明する。
また、上記従来技術の別の問題点を解決するための、小型のカートリッジケースに対しても、その内部に非接触式メモリ（ＩＣメモリ）を容易に組み込むことができるようにした磁気テープカートリッジである記録媒体カートリッジについても説明する。
【００２６】
また、さらに別の問題点を解決するための、記録媒体カートリッジを記録再生装置（デッキ）にセットした際に、記録媒体カートリッジ内部に取り付けた非接触式メモリと記録再生装置（デッキ）との間におけるデータ送受信に支障が現われることのない記録媒体カートリッジについても説明する。
【課題を解決するための手段】
【００２７】
上記目的を達成するため、本発明に係るカートリッジラベルは、カートリッジケース内に記録媒体が収容された記録媒体カートリッジに添付可能な非接触式メモリを含むカートリッジラベルであって、前記非接触式メモリは、当該記録媒体カートリッジやこれに収容される記録媒体に関する情報を記録するための情報記憶および信号処理部と、信号の送受信を行うためのアンテナ部とを有し、前記カートリッジラベル上には、少なくとも、前記アンテナ部のアンテナコイル上を避けた情報記載個所を指示するアンテナ部保護表示を施したことを特徴とする。
【００２８】
なお、上述のアンテナ部保護表示を施す方法としては、例えば、印刷により形成する方法が最も簡便であるが、予めアンテナ部の大きさに合わせて用意したシールを貼り付ける方法も、変化に対応し易いという点で、有効な方法である。
【００２９】
ここで、前記アンテナ部保護表示は、前記アンテナ部を構成するループ状（コイル状）アンテナの内側のエリアを情報記載エリアとするものであるのが好ましい。
【００３０】
また、前記アンテナ部保護表示は、前記アンテナ部を構成するループ状アンテナの内側のエリアが前記情報記載エリアであることを示す、デザインと一体化されているものであるのが好ましい。ここで、デザインと一体化されているという意味は、ループ状アンテナをカバーする枠状のエリアの表記が、他のエリアの周囲の枠と結合ないしは関連して、全体として１つのデザインを形成している状況をいう。
【００３１】
なお、上述の非接触式メモリは高価であるので、これを再使用できるように配慮しておくのが好ましい。そのためには、例えば上記カートリッジラベルを、記録媒体カートリッジに設けたスライド溝内に挿通・引出し可能に構成し、用済み後は、当該記録媒体カートリッジのスライド溝から引出して、別の記録媒体カートリッジに挿通・保持するように構成する方法が、好適に示される。
【００３２】
また、前述の、非接触式メモリのアンテナ近傍に金属部品が有ると、電力供給が適正になされずに誤動作が生じたり、信号の送受信に悪影響を与え、不適正な信号の送受信が行われてしまうという問題を解決するためには、上ケースおよび下ケースにより構成されたカートリッジケース内に、記録媒体が収容された記録媒体カートリッジであって、情報記憶および信号処理を行うＩＣ部と信号の送受信を行うアンテナ部とを有する非接触式メモリを有し、かつ、前記非接触式メモリのアンテナ部が金属部品から最も離れた領域に配置されている特徴とする記録媒体カートリッジが好適に用い得る（以下、第１の関連技術という）。
【００３３】
また、前述の、磁気テープカセットや磁気テープカートリッジにおいて、その中に収容されている磁気テープに記録されている情報の内容を示すために、カートリッジメモリを取り付ける場合、その取り付けに際しては、磁気テープの走行に支障をきたさないように、また、構造的に剛性を低下させることのないように、充分配慮することが必要であるという問題を解決するためには、情報記憶および信号処理を行うＩＣ部と信号の送受信を行いデータを伝送するアンテナ部とを有する非接触式メモリにより、データの読み書きを非接触で行う記録媒体カートリッジであって、前記非接触式メモリが収納される部分の近傍は、周囲よりも一段凹んだ状態に形成されたことを特徴とする記録媒体カートリッジが好適に用い得る（以下、第２の関連技術という）。
ここで、前記記録媒体カートリッジは、磁気テープカートリッジであるのが好ましい。
【００３４】
また、前記周囲よりも一段凹んだ状態に形成された前記非接触式メモリが収納される部分のうちの、前記非接触式メモリが固定・位置決めされる部分については、さらに一段凹んだ状態となっており、このさらに一段凹んだ部分で、前後左右の位置規制を行うのが好ましい。
【００３５】
また、シート位置規制ピンの補強リブが、前記周囲よりも一段凹んだ状態に形成された前記非接触式メモリが収納される部分に一部張り出しており、この張り出し部により前記非接触式メモリの前後の位置規制を行うのが好ましい。
【００３６】
また、前記シート位置規制ピンの補強リブの張り出し部は、前記非接触式メモリに対向する側が誘いを付けた形状になっているのが好ましい。
【００３７】
また、ハブに巻かれた磁気テープ巻き玉が遊動した際に位置規制を行うためのリブが、一定の曲率を以って前記非接触式メモリが収納される部分の近傍に形成されており、その長さは少なくとも、前記磁気テープ巻き玉が遊動した際にも、これが前記非接触式メモリに接触することのないような長さで形成されているのが好ましい。
【００３８】
また、前記磁気テープ巻き玉が遊動した際に位置規制を行うためのリブが、少なくとも前記非接触式メモリの、前記磁気テープカートリッジの長手方向の位置規制を行うような形状としたのが好ましい。
【００３９】
また、前記磁気テープ巻き玉が遊動した際に位置規制を行うためのリブには、モールド時の抜き勾配が設けられており、この抜き勾配は、上記リブの前記非接触式メモリ側が、前記磁気テープ巻き玉側よりも大きく設定されているのが好ましい。
【００４０】
また、磁気テープカートリッジ背面側の、前記磁気テープ巻き玉対応部分の肉盗み部の根元に設けられた肉厚部（非肉盗み部）を、前記非接触式メモリが収納される位置の近傍の、前記凹んだ部分まで張り出させて、その部分により前記非接触式メモリの前記磁気テープカートリッジの長手方向の位置規制を行うように構成したのが好ましい。
【００４１】
またさらに、前記周囲よりも一段凹んだ状態に形成されたが収納される部分の中には、前記非接触式メモリの長手方向の寸法と略同寸法の長さまでのリブが、前記磁気テープカートリッジの長手方向に沿って設けられているのが好ましい。
【００４２】
また、前述の、カートリッジ自体の構造から、その内部は、磁気テープ巻き玉のためのスペースや誤消去防止機構あるいはモード検出機構のためのスペースでほとんどが占められており、今では、記録容量を増大させるために磁気テープ巻き玉の巻き径が大きくなっており、従来のような組み込み方法では、ますますカートリッジメモリ（メモリＩＣ）をカートリッジ内部に組み入れる事が難しくなっているという問題を解決するためには、上ケースおよび下ケースにより構成されたカートリッジケース内に磁気テープ巻き玉を収容する磁気テープカートリッジであって、前記磁気テープに記録された情報の内容や該磁気テープカートリッジの情報を記録する非接触式メモリを、前記カートリッジケースに収容された磁気テープ巻き玉の最大巻き径の外周の形状に対応させて湾曲させ、該湾曲させた非接触式メモリが、前記カートリッジケース内の前記磁気テープ巻き玉を収容するリールエリアの内壁の一部を形成するように、前記カートリッジケース内に前記非接触式メモリを取り付けたことを特徴とする磁気テープカートリッジが好適に用い得る（以下、第３の関連技術という）。
【００４３】
また、前述の、カートリッジメモリを上述の図示例のような配置方式で磁気テープカートリッジのような記録媒体カートリッジの内部に取り付けた場合、被取り付け側の記録媒体カートリッジによっては、記録媒体カートリッジを記録再生装置（デッキ）にセットした際に、カートリッジメモリと記録再生装置（デッキ）との間におけるデータ送受信に支障が現われる場合があるという問題を解決するためには、カートリッジケース内に記録媒体が収容された記録媒体カートリッジであって、当該記録媒体カートリッジの情報や前記記録媒体に記録された情報の内容を記録する非接触式メモリを、前記記録媒体カートリッジをドライブに装填する際に露出される位置に取り付けたことを特徴とする記録媒体カートリッジが好適に用い得る（以下、第４の関連技術という）。
【００４４】
また、この関連技術においては、カートリッジケース内に記録媒体が収容された記録媒体カートリッジであって、当該記録媒体カートリッジの情報や前記記録媒体に記録された情報の内容を記録する非接触式メモリを、前記記録媒体カートリッジが有するカバー部材を開いたときに露出される位置に取り付けたことを特徴とする記録媒体カートリッジが好適に用い得る。
【００４５】
ここで、前記記録媒体カートリッジは、カートリッジケース内に磁気テープを巻装した単一のリールが回転可能に収容されたもの、カートリッジケース内に単一の磁気ディスクが回転可能に収容されたものであるのが好ましい。また、前記記録媒体カートリッジは、ＪＩＳＸ６１４１にその構造，寸法諸元が規定されているものを始めとする、磁気テープを巻回した一対の巻取りハブを収容する２リール方式の、磁気テープカートリッジであってもよく、この場合、前記非接触式メモリは、前記カバー部材の裏側に取り付けられるのが好ましい。
【００４６】
また、この関連技術においては、例えば、ＪＩＳＸ６１４１にその構造，寸法諸元が規定されているものを始めとする、磁気テープを巻回した一対の巻取りハブを収容する２リール方式で、かつ、開口部を有する記録媒体カートリッジであって、当該記録媒体カートリッジの情報や当該記録媒体カートリッジに収容されている記録媒体に記録された情報の内容を記録する非接触式メモリを、前記開口部に対向する位置に取り付けたことを特徴とする記録媒体カートリッジが好適に用い得る。
【００４７】
また、この関連技術においては、例えば、ＪＩＳＸ６１４１にその構造，寸法諸元が規定されているものを始めとする、磁気テープを巻回した一対の巻取りハブを収容する２リール方式で、かつ、開口部を有する記録媒体カートリッジであって、当該記録媒体カートリッジの情報や当該記録媒体カートリッジに収容されている記録媒体に記録された情報の内容を記録する非接触式メモリを、前記記録媒体カートリッジが有するカバー部材を開いたときに露出される位置に取り付けたものであってもよく、この場合には、前記非接触式メモリは、前記カバー部材の裏側に取り付けられることを特徴とする記録媒体カートリッジが好適に用い得る。
【００４８】
また、この関連技術においては、例えば、ＪＩＳＸ６１４１にその構造，寸法諸元が規定されているものを始めとする、磁気テープを巻回した一対の巻取りハブを収容する２リール方式で、かつ、開口部を有する記録媒体カートリッジであって、当該記録媒体カートリッジの情報や当該記録媒体カートリッジに収容されている記録媒体に記録された情報の内容を記録する非接触式メモリを、前記記録媒体カートリッジの内側面で、かつ、前記記録媒体と接触する位置に取り付けたことを特徴とする記録媒体カートリッジが好適に用い得る。
【００４９】
なお、上記各記録媒体カートリッジは、前記非接触式メモリを取り付ける位置においては、その周辺部を、凹状に形成してあるのが好ましい。
【発明の効果】
【００５０】
本発明によれば、記録媒体カートリッジに取り付けて用いるカートリッジラベルであって、非接触メモリ（カートリッジメモリ）のＩＣ部のＩＣチップの損傷防止に加え、アンテナ部の損傷防止にも配慮したカートリッジラベルを実現できるという大きな効果が得られる。さらに、本態様によれば、非接触メモリのＩＣ部のＩＣチップおよびアンテナ部に加え、これらを接続するリード線が必要な場合でもこのリード線の損傷防止にも配慮したカートリッジラベルを実現できるという大きな効果が得られる。
【００５１】
本発明の第１の関連技術によれば、ＩＣメモリ等の情報記憶および信号処理部と信号の送受信を行うアンテナ部とを有する非接触式メモリを搭載する記録媒体カートリッジにおいて、非接触式メモリの誤動作や不適正な信号の送受信が生じることがなく、デッキと記録媒体カートリッジ（非接触式メモリ）との信号の送受信を、安定して、適正に行うことができる。
【００５２】
また、本発明の第２の関連技術によれば、磁気テープの走行に支障をきたさず、また、構造的に剛性を低下させることのない位置に、非接触式メモリ（カートリッジメモリ）を取り付け可能とした磁気テープカートリッジを提供することが可能となる。
【００５３】
本発明の第３の関連技術によれば、カートリッジケースの構造を変えることなく、小さなカートリッジケースにも非接触式メモリ（カートリッジメモリ）を簡単に組み込むことが可能となる。
【００５４】
また、本発明の第４の関連技術によれば、記録媒体カートリッジを記録再生装置（デッキ）にセットした際に、記録媒体カートリッジ内部に取り付けた非接触式メモリ（カートリッジメモリ）と記録再生装置（デッキ）との間におけるデータ送受信に支障が現われることのない記録媒体カートリッジを提供できるという大きな効果が得られる。
【００５５】
より具体的には、記録媒体カートリッジ内部にカートリッジメモリを取り付ける際に、その取り付け場所として、通常、つまり、記録媒体カートリッジの非使用時にはカートリッジメモリを何らかの保護部材により保護しておくが、記録媒体カートリッジの使用時、つまり、記録媒体カートリッジを記録再生装置にセットした場合には、上記保護部材が退去してカートリッジメモリが露出し、この露出したカートリッジメモリと記録再生装置のデータ読取・書込装置との間でデータ通信（送受信）が支障なく行われることを可能とするものである。
【発明を実施するための最良の形態】
【００５６】
本発明並びに関連技術に係る記録媒体カートリッジおよびカートリッジラベルを添付の図面に示す好適実施形態に基づいて以下に詳細に説明する。
まず、図１〜図３を参照して、本発明の関連技術に係る記録媒体カートリッジとして、磁気テープカートリッジを代表例にとり、本発明が適用される磁気テープカートリッジの概略構成について説明する。
【００５７】
図１に、本発明の関連技術に係る記録媒体カートリッジが適用される磁気テープカートリッジの一実施例の概略構成を斜視分解図として示す。
この磁気テープカートリッジ（以下、カートリッジとする）１０は、ＪＩＳＸ６１２７（１９９２）、同６１２９（１９９３）、同６１３０（１９９６）、同６１４１（１９９３）あるいはＥＣＭＡ−２８８等で、その構造，寸法諸元が規定されている、公知の磁気テープカートリッジ（または、磁気テープカセットとも呼ばれている）を、その基本的な構成とするものであって、主に、上ハーフ（上ケース）１１および下ハーフ（下ケース）１２と、両ハーフ１１，１２によって形成される筐体（カートリッジケース）内の所定位置において両ハーフ１１，１２に回転自在に軸支される供給側の巻取ハブ１４ａおよび巻取側の巻取ハブ１４ｂと、両ハーフ１１，１２の間に収容され、両巻取ハブ１４ａ、１４ｂに巻回される記録媒体としての磁気テープ１６とから構成される。
【００５８】
このようなカートリッジ１０においては、上ハーフ１１の前面側（デッキへのテープ供給側）には、カートリッジ１０の非使用時に磁気テープ１６を覆って保護する前蓋（リッド）１８が、支軸１８ａを中心に回転可能に取り付けられている。また、下ハーフ１２の図中下面（以下、下面とする）には、下ハーフ１２に形成される穴等の開放部分を塞いで密閉性を高めるためのスライダ２０が、下ハーフ１２下面に摺動して前面〜背面方向（以下、これを前後方向、直交する方向を左右（横）方向とする）に移動可能に係合される。すなわち、下ハーフ１２の外側下面には、ケース下側の開放部分を塞いで密閉性を高めるため、スライダ２０が前後方向摺動可能に取り付けられている。
【００５９】
カートリッジ１０には、非使用時に巻取ハブ１４ａ，１４ｂに巻回された磁気テープ１６が弛むのを防止するために、上ハーフ１１にブレーキ部材２２が付設されている。ブレーキ部材２２は、２つの制動片２２ａ，２２ｂを有し、制動片２２ａを巻取ハブ１４ａの上部に設けられた歯車１５ａに、制動片２２ｂを巻取ハブ１４ｂの上部に設けられた歯車１５ｂに、それぞれ係合させることにより、両巻取ハブ１４ａ、１４ｂの回転を止め（禁止し）、磁気テープ１６の弛みを防止する。
ブレーキ部材２２は、上ハーフ１１に設けられた突起１１ａに係止されているブレーキバネ２４によって、背面方向に付勢されており、カートリッジ非使用時には、制動片２２ａ，２２ｂを歯車１４ａ，１４ｂに係合する位置に移動している。他方、カートリッジの使用時には、ブレーキ部材２２は、前蓋１８によって前方向に移動され、歯車１４ａ，１４ｂとの係合を開放して、巻取ハブ１４ａ，１４ｂが回転可能となる。
【００６０】
下ハーフ１２の長方形状の底板１２ａは、カートリッジ使用時にカートリッジケース内にデッキのリール軸を挿入するためのリール軸挿入孔１２ｂ，１２ｂ、左右両端から前方に伸びる張出部１２ｃ，１２ｃ、および、背面側の左右両端部近傍の上方（上ハーフ１１側）に突出する円柱状のリブの中心を下ハーフ１２を貫通して穿孔されるビス孔１２ｉ，１２ｉを有する。
また、両張出部１２ｃには、上方に突出して、磁気テープ１６をガイドする円柱状のリブ１２ｄ，１２ｄが設けられており、さらに両リブ１２ｄの中心には、下ハーフ１２を貫通して穿孔されたビス孔１２ｊ，１２ｊが形成される。
この左右の両張出部１２ｃ，１２ｃの間の空間は、カートリッジ１０が装填されるデッキ側にもうけられている、いわゆるテープローディング装置が進入するための空間である。
【００６１】
図示例のカートリッジにおいては、４本のビスが、下ハーフ１２のビス孔１２ｉ，１２ｉおよびビス孔１２ｊ，１２ｊを下方から挿通し、上ハーフ１１内面の対応位置に螺合することにより、上ハーフ１１と下ハーフ１２とを組み合わせたカートリッジケースが固定される。
【００６２】
さらに、下ハーフ底面１２ａの前面側、すなわち、このテープローディング装置が進入するための空間に面する側（磁気テープを露出する側）において、下ハーフ１２の底面１２ａには、両張出部１２ｃの間の空間に対面して、これに垂直に、２つの割筒型のリブを連続してハの字状に設けた壁状の部材（リールエリアリブ）１２e が立設されている。この部材１２ｅは、磁気テープ１６を巻回した巻取ハブ１４ａ，１４ｂ（磁気テープ１６の巻き玉）の遊動を防止するもので、この部材１２e のハの字状の湾曲部は、巻取ハブ１４ａ、１４ｂに巻回された磁気テープ１６が置かれた場合に、この磁気テープ巻き玉の外周、すなわち、最大巻き径の周に沿うような形状となっている。
また、部材１２e の前方の、この部材１２ｅによって三角形状に区切られた底板１２ａの部分１２ｆの中央部には、底面１２ａに垂直に柱状のリブ１２ｇが立設されている。この柱状のリブ１２ｇと部材１２ｅとの間に、スライダ２０を前方へ付勢するための板バネ（スライダばね）２６が嵌め込まれる。
また、下ハーフ１２の周囲側壁には、磁気テープ１６の巻き玉と干渉しないように、磁気テープ巻き玉の外周、すなわち、最大巻き径の周に合わせて円弧状の凹部１２ｋが設けられている。そして、これらの凹部１２ｋおよび部材１２e 等によってリールエリア（の内壁）が形成される。
さらに、下ハーフ１２の底板１２ａの背面側（後方）には、肉盗み溝として溝部１２ｈが形成されている。
【００６３】
前述のように、スライダ２０は、下ハーフ１２の下面に摺接して（底面１２ａに下側から接して）前後方向に移動（摺動）するが、前方に位置するときは、防塵のため、下ハーフ１２の前面側のテープローディング装置が進入するための両張出部１２ｃの間の空間およびリール軸挿入孔１２ｂを、スライダ２０の底面２０ａにより塞ぐようになっている。
また、スライダ２０が後方に位置するときは、テープローディング装置が進入するための両張出部１２ｃの間の空間を開放するとともに、スライダ２０の底板２０ａに設けられた２つの孔２０ｂ，２０ｂがリール軸挿入孔１２ｂ，１２ｂと一致し、デッキ側のリール軸が挿入可能となるようになっている。
さらに、スライダ２０には、板ばね２６の付勢力を受けるために、底面２０ａの前方、すなわち前面側の端部近傍に、上方に垂直な壁状のリブ２０ｃが設けられ、前述の下ハーフ１２に設けられた板バネ２６が当接している。すなわち、スライダ２０は、この板バネ２６によって前方の位置に固定されるように付勢されている。
【００６４】
スライダ２０は、カートリッジ１０がデッキに装着された際には、デッキ内の装置の作用により自動的に後方に位置されるが、カートリッジ非使用時には、この板バネ２６の作用によって前方に移動して位置され、前述のように、両張出部１２ｃの間の空間およびリール軸挿入孔１２ｂを閉塞する。
【００６５】
さらに、本発明が適用される磁気テープカートリッジの構成を、図１に示す磁気テープカートリッジに加え、図２および図３に示す磁気テープカートリッジを用いて以下により詳細に説明する。なお、図２および図３に示す磁気テープカートリッジは、上記ＪＩＳＸ６１２７（１９９２）にその構造，寸法諸元が規定されているものであるが、基本的に、図１に示す磁気テープカートリッジ１０と同様な構成を有し、同一の構成要素を有するものである。このため、図１、図２および図３においては、同一の構成要素には同一の参照符号を付すものであるが、説明の都合上、構成要素や符号が省略されたり、さらなる区別をするために、異なる参照符号が付されている。
図２に示す磁気テープカートリッジ１０も、図１に示すもの同様、基本的に、上ハーフ１１と、該上ハーフ１１に結合されてケース本体を構成する下ハーフ１２と、下ハーフ１２の底面および側面に沿って矢印Ａ方向に摺動自在に嵌装されたスライダ２０と、ケース本体内に収納される磁気テープ１６とを主要構成部材とするものである。
【００６６】
この磁気テープカートリッジにおいて、上ハーフ１１には、ケース本体内に収納された磁気テープ１６を外側から視認するためのテープ視認窓１１ｂが嵌設されている。また、上ハーフ１１の前端には、塵埃や異物の侵入、あるいは磁気テープの取扱時に手指が接触することから磁気テープを保護するために、前蓋１８が装着されている。前蓋１８は、左右の側端部１８ｃｌおよび１８ｃｒのそれぞれの内側に突設された支軸１８ａによって、上ハーフ前側端に配設された支軸受け部に回動自在に装着されている。
【００６７】
上述の前蓋１８は、この磁気テープ（カートリッジ）の不使用時には、下ハーフ１２の前側面を覆って磁気テープを塵埃や異物等から保護し、磁気テープの使用時には、前記スライダ２０が矢印（ａ）方向に沿って摺動後退すると共に、左右の側端部１８ｃａおよび１８ｃｂが、前記支軸を回動軸として矢印Ｂ方向に回動して、ケース本体の前面を開放し、磁気テープを記録・再生装置に供するようにするものである。
【００６８】
下ハーフ１２には、磁気テープに記録および／または再生をする際に、記録および／または再生装置のテープ駆動部材（図示せず）を、下方から挿入するための供給側ハブのリール（駆動）軸挿入孔１２ｂａと巻き戻し側ハブのリール（駆動）挿入孔１２ｂｂとが穿設されている。この下ハーフ１２において、供給側ハブのリール軸挿入孔１２ｂａおよび巻き戻し側ハブのリール軸挿入孔１２ｂｂの外周縁には、磁気テープを巻回する供給側ハブ１４ａと巻き戻し側ハブ１４ｂの各下部を係止する溝１２ｍａおよび１２ｍｂが周設されている。
【００６９】
また、スライダ２０は、下ハーフ１２の底面および側面に沿って摺動自在に嵌装されるものである。このスライダ２０は、その左右の側壁２０ｄａおよび２０ｄｂの後端内縁に、長辺状の係合摺動部２０ｅａおよび２０ｅｂを有するものである。この係合摺動部２０ｅａおよび２０ｅｂは、上ハーフ１１と下ハーフ１２とを結合してケース本体を構成したときに、図３に破線で示すとおり、上ハーフ１１の左側壁１１ｃａと、下ハーフ１２の左側壁１２ｎａとの間、ならびに上ハーフ１１の右側壁１１ｃｂと下ハーフ１２の右側壁１２ｎｂとの間に、それぞれ形成される摺動溝２８ａおよび２８ｂに、摺動自在に嵌挿される。
【００７０】
このスライダ２０は、この磁気テープ（カートリッジ）の不使用時には、図３に示すように、その前端部２０ｆが、前蓋１８の内側端に突き当たる位置に、下ハーフ１２の底面に配設された係合ロック機構によって、係合・保持され、下ハーフ１２の供給側ハブのリール軸挿入孔１２ｂａおよび巻き戻し側ハブのリール軸挿入孔１２ｂｂを閉塞して、該リール軸挿入孔１２ｂａおよび１２ｂｂの下側からの塵埃や異物の侵入を防止するものである。
【００７１】
また、磁気テープの使用時には、磁気テープ記録・再生装置によって、係合ロック機構が解除されるとともに、その後端部２０ｇが下ハーフの後端１２ｐに突き当たる位置に摺動後退される。このとき、スライダ２０の底面に穿設された案内孔２０ｂａおよび２０ｂｂが、前記下ハーフ１２の供給側ハブのリール軸挿入孔１２ｂａおよび巻き戻し側ハブのリール軸挿入孔１２ｂｂと合致して、該リール軸挿入孔１２ｂａおよび１２ｂｂが開口される。
本発明が適用される磁気テープカートリッジは、基本的に以上のように、構成される。
【００７２】
次に、図１〜図３および図４〜図６を参照して、本発明の第１の関連技術に係る記録媒体カートリッジについて説明する。
図４に、本発明の第１の関連技術に係る記録媒体カートリッジの要部として、磁気テープカートリッジの下ハーフの一実施例を示す。なお、図４に示す下ハーフ１２は、図１に示す磁気テープカートリッジの下ハーフに、非接触式メモリが取り付けられた実施例である。
同図に示すように、下ハーフ１２の底板１２ａの背面側（後方）に形成される溝部１２ｈには、本関連技術の特徴的な部材である非接触式メモリ（以下、カートリッジメモリという）３０が、挿入・保持されている。
なお、本関連技術においては、カートリッジメモリ３０の保持および位置決め方法には特に限定はなく、その形状、カートリッジケースの構成等に応じて、公知の方法によればよい。
カートリッジメモリ３０は、前述のように、デッキ側の送受信手段から電磁誘導方式や静電方式を利用して、デッキ側の送受信手段から駆動電流を得、信号（データ）の送受信を行うアンテナ部と、信号の記憶や信号の供給（読取・書込）等の信号処理を行うＩＣ部（ＩＣメモリ）とを有し、デッキ側の信号の記録読取手段（その信号の送受信手段）との間で、カートリッジの情報やカートリッジの記録内容に関する情報等を、送受信する。
【００７３】
図示例においては、カートリッジメモリ３０は、図５（ａ）に示されるように、略矩形の基板の一端部にＩＣチップ化されたＩＣメモリからなるＩＣ部３０ａが形成され、ＩＣ部３０ａを囲むように基板の外縁（外周）部にデータ通信（送受信）用アンテナ部３０ｂが形成され、一枚の基板に、一体的にＩＣ部３０ａとアンテナ部３０ｂとが形成されてなるものである。このように、図示例のカートリッジメモリ３０は、略矩形の板状の部材であって、少なくとも、その一端部にアンテナ部３０ｂに囲まれるように配置されたＩＣ部３０ａは、樹脂で封入されているのがよい。なお、ＩＣ部３０ａを除いた部分の、その外周部に配置されているアンテナ部３０ｂも樹脂で封入されていてもよい。カートリッジメモリ３０は、その全体が樹脂で封入されているのが最も好ましい。
なお、本関連技術において、カートリッジメモリ３０は上記構成および形状には限定されず、例えば、図５（ｂ）に示されるように、ＩＣ部３０ａとアンテナ部３０ｂとが別体とされている、すなわちＩＣ部３０ａが形成された基板とは別体にアンテナ部３０ｂが形成されたものであっても良いなど、種々の構成のものや、種々の形状のものであってもよい。
【００７４】
上述のように、このように構成されるカートリッジメモリ３０自体は無電源であり、これを収納したカートリッジ１０が図示しない記録再生装置（デッキ）に挿入されたときに、そこに設けられているカートリッジメモリ３０へのデータ読取・書込装置のアンテナから送出される磁場により電磁誘導された誘導電流により動作して、記録再生装置（デッキ）のデータ読取・書込装置とＩＣ部３０ａとの間でデータ送受信を行うものである。
【００７５】
ここで、本関連技術に係るカートリッジ１０においては、このカートリッジメモリ３０は、カートリッジに配置される金属部品から、最も離れた領域に配置される（アンテナ部とＩＣ部が別体のものは、アンテナ部のみで可）。
【００７６】
前述のように、（非接触式の）カートリッジメモリ３０は、電磁誘導方式や静電方式を利用して、駆動電力を得、信号の送受信を行う。そのため、カートリッジメモリ３０のアンテナ部３０ｂの近傍に金属部品が配置されると、誤動作や、不適正な信号の送受信等の問題が発生する場合がある。
これに対し、本関連技術のカートリッジ１０（記録媒体カートリッジ）においては、このようなカートリッジメモリ３０（そのアンテナ部３０ｂ）が、カートリッジの金属部品から、最も離れた領域に配置される。そのため、前記不都合を解消することができ、デッキとカートリッジ（カートリッジメモリ３０）との間で、安定して、適正な信号の送受信を行うことができる。
【００７７】
図６に、図４に示されるカートリッジ１０（図１参照）の下ハーフ１２の平面図を示す。
図示例のカートリッジ１０に配置される金属部品の主たるものは、スライダ２０を付勢する板バネ２６（図６では、点線で示す）と、上ハーフ１１と下ハーフ１２を固定する４本のビスである。前述のように、板バネ２６は、下ハーフ１２の壁状の部材１２ｅと柱状のリブ１２ｇの間に嵌入され、ビスは、下ハーフ１２に形成される張出部１２ｃのビス孔１２ｊおよび背面側の左右両端部近傍のビス孔１２ｉに挿通され、上ハーフ１１の対応位置に螺合する。
【００７８】
カートリッジ１０内における金属部品からの距離は、金属部品を中心に描いた円で示すことができる。なお、カートリッジ１０には、上記５つの金属部品以外にも、前蓋１８を付勢するバネや、ブレーキ部材２２を付勢するブレーキバネ２４等も含まれるが、これらを中心に描いた円は、カートリッジ１０内では上記５つに対応する円に含まれるので、ここでは省略する。
各金属部品を中心（板バネ２６は背面側先端を中心としている）に同じ径の円（点線）を描いた際に、各円の径を大きくして行くと、最後まで各円に含まれない領域は、図６に示されるように、背面側の横方向の中央部分である。すなわち、カートリッジ１０内においては、この領域が、最も金属部品から遠い領域となる。
【００７９】
従って、図６に示されるように、金属部品を中心に同じ径の円を描いて、この円に含まれない領域を金属部品から最も遠い領域として、図示例のように、この領域にカートリッジメモリ３０を配置することにより、金属部品による悪影響を最小限にして、適正な情報の送受信を行うことが可能になる。
例えば、図示例のように、ブレーキ部材２２の解除手段（巻取ハブのブレーキ解除手段）が、巻取ハブ１４ａおよび１４ｂの間にない（磁気テープ）カートリッジの場合には、通常は、この背面側の中央部分が金属部品から最も遠い領域であり、この領域に、カートリッジメモリ３０を配置するのが好ましい。
【００８０】
本関連技術においては、金属部品から最も離れた領域は、一例として、図６に示されるように、金属部品を中心に適当なサイズの同径の円を描いて、この円に含まれない領域とすればよい。
なお、この円の大きさには、特に限定はなく、金属部品の数や密度、デッキから供給される信号の強度、アンテナ部３０ｂの感度等に応じて、適宜決定すればよい。ここで、信号の送受信を好適に行うためには、図６に示されるように、この平面方向において、少なくとも互いに最も近接する金属部品同士では、円が接触する以上の径とするのが好ましい。
【００８１】
あるいは、前述のようにして、金属部品を中心とする円を大きくして行き、カートリッジメモリ３０のサイズや形状、カートリッジ内の構成等に応じて、この円に包含されずにカートリッジメモリ３０（そのアンテナ部）を配置できる最小限の領域を知見し、この領域を、最も金属部品から遠い領域としてもよい。
また、同様に大きくしていった円が、最後に包含した位置を中心にして、この周辺を金属部品から最も遠い領域として、カートリッジメモリ３０の配置位置を決定してもよい。
【００８２】
ところで、現在では、デジタルビデオカセットやβカムのシステムで記録再生可能なカセットのように、水平方向（前述の前後左右方向）および厚み方向（水平方向と直交方向）の少なくとも一方で寸法が異なるものの、同じデッキでの使用が可能な（磁気テープ）カートリッジが実用化されている。すなわち、カートリッジケースのサイズは異なるが、同じデッキで使用可能なカートリッジが実用化されている。
また、多くの場合、これらのカートリッジは、デッキに配置される、デッキ内におけるカートリッジの水平方向の位置決め手段を、共通に使用する。すなわち、カートリッジに形成されるデッキ内における水平方向の位置決めの基準部は、サイズによらず、形状および位置共に、基本的に同一である。
【００８３】
本関連技術を、これらのカートリッジに利用する場合には、少なくとも２つのサイズのカートリッジにおいて、前述の条件を満たした上で、カートリッジに設けられる水平方向の位置決め基準部に対して、前記横（左右）方向の位置が略同一になるようにカートリッジメモリ３０を配置するのが好ましい。
例えば、図示例のカートリッジ１０において、下ハーフ１２下面のネジ孔１２ｊの位置に水平方向の基準部が有る場合には、一例として、サイズの異なるカセットで、基準部から前後方向に引いた線と、カートリッジメモリ３０の横方向の中心との距離ａが等しくなるように、カートリッジメモリ３０を配置する。
すなわち、サイズの異なるカートリッジにおいて、デッキ内におけるカートリッジメモリ３０の横方向の位置が略同一となるように、カートリッジメモリ３０を配置する。
【００８４】
このような構成とすることにより、デッキにカートリッジを装填して、カートリッジメモリ３０とデッキの記録読取手段との間で情報の送受信を行う際に、デッキ内に配置される記録読取手段（信号の送受信手段）の移動を無くすことができ、この移動に起因する信号送受信精度の低下、誤動作の発生、デッキのコスト向上等を防止して、カートリッジ（カートリッジメモリ３０）とデッキとの間で、好適な情報の送受信を行うことができる。
【００８５】
なお、本関連技術においては、サイズの異なるカートリッジにおけるカートリッジメモリ３０の位置は、前後方向および垂直方向（厚さ方向）には、必ずしも、一致させる必要はない。
前述のように、本関連技術のカートリッジに配置されるカートリッジメモリ３０は、非接触で信号の送受信を行うものである。通常、通信の電波等は送受信の対象に向けて発信され、かつ、発信された方向には、ある程度の有効距離を有するので、デッキ内におけるカートリッジメモリ３０の位置が前後方向に異なっていても、信号は十分に届く。また、通常のデッキでは、異なるサイズのカートリッジであっても、垂直方向の位置は、大きく変わることはない。
従って、同じデッキで利用可能なサイズの異なるカートリッジにおいて、カートリッジメモリ３０（アンテナ部）の位置は、前述の横方向の位置が略同一であれば、通常、デッキの記録読取手段の検知範囲に入る。
【００８６】
以上、本発明の第１の関連技術の記録媒体カートリッジについて、磁気テープカートリッジを例に詳細に説明したが、本関連技術は、上述の例には限定されず、その要旨を逸脱しない範囲において、各種の改良や変更を行ってもよいのはもちろんである。
【００８７】
例えば、上述の記録媒体カートリッジでは、下ハーフ内にメモリを保持したが、本関連技術は、これに限定はされず、金属部品から最も遠い領域という条件を満たせば、カートリッジケースの外部、上ハーフや前蓋等の別の部材に非接触式メモリ（そのアンテナ部）を保持してもよく、あるいは、複数の部材でメモリを保持してもよい。
また、以上の例は、カートリッジ内に磁気テープを巻回する一対の巻取ハブを収容する磁気テープカートリッジであるが、本関連技術は、これに限定されず、１リール方式の磁気テープカートリッジ、磁気ディスク、光学記録媒体等の記録媒体カートリッジにも好適に利用可能である。
【００８８】
次に、図１〜図３、図５（ａ）、（ｂ）および図７〜図１５（ｂ）を参照して、本発明の第２の関連技術に係る記録媒体カートリッジについて説明する。
なお、以下においても、本発明の第２の関連技術を、前述のＪＩＳＸ６１２７（１９９２）にその構造，寸法諸元が規定されている、図１〜図３に示す実施例を代表例として説明するが、本関連技術はこれに限定されるものではなく、同様の構成を有する他の磁気テープカートリッジに広く適用できることはいうまでもない。
【００８９】
図７は、本発明の第２の関連技術の記録媒体カートリッジの一参考例に係る磁気テープカートリッジの下ハーフに、前述の非接触式メモリであるカートリッジメモリを取り付けた状況を示す斜視図であり、図８は、その背面側からの側面図である。
図７に示す磁気テープカートリッジ（カートリッジ）１０においては、下ハーフ１２の背面にある溝部（肉盗み溝）１２ｈ内に、上述したカートリッジメモリ３０（図５（ａ）および（ｂ）参照）を落とし込む形でセットしているものである。このセットは、接着剤，粘着テープ（両面テープ）など、公知の手段により行ってよい。
【００９０】
なお、上述の肉盗み溝１２ｈの中央部には、磁気テープ保護シートの位置規制ピン１２ｌが立設されており、さらに、この位置規制ピン１２ｌの変形防止のための支承リブ３２が、その後ろ側の肉盗み溝１２ｈ内に設けられているので、この支承リブ３２の一部を、上記カートリッジメモリ３０の厚さに相当する分、切り欠くことが好ましい。この状況を、図９に示す。
【００９１】
図９は、上記支承リブ３２を通り、カートリッジの長さ方向に直交する垂直面で切った要部断面図であり、前記肉盗み溝１２ｈ内に設けられている支承リブ３２の一部（３２ａで示す部分）が上述の切り欠かれた部分を示している。
また、この際、支承リブ３２のカートリッジメモリ３０側の角部を面取り（符号３４で示した部分）しておくと、カートリッジメモリ３０のセット時の案内効果が出せる。
【００９２】
図１０は、本発明の他の参考例に係るカートリッジの下ハーフ１２に、カートリッジメモリ３０を取り付けた状況を示す図であり、上記支承リブ３２を通り、カートリッジの長さ方向に直交する垂直面で切った断面図である。図１０中に、破線で示されている３６は、前記肉盗み溝１２ｈ内に、カートリッジの長さ方向に沿って、カートリッジメモリ３０の厚さ，長さに相当する大きさで設けられている、前記肉盗み溝１２ｈより一段深い溝である。
【００９３】
上述の、前記肉盗み溝１２ｈ内の一段深い溝３６は、溝１２ｈ内にカートリッジメモリ３０をセットする際の位置決めを簡略化するためのもので、この溝３６を、予め、セットされるカートリッジメモリ３０の大きさに合わせて刻設しておくことにより、カートリッジメモリ３０をセットする際の位置決めが、簡単に、かつ精度よく行えるようになるという効果が得られる。
【００９４】
上述の肉盗み溝１２ｈ内に、これより一段深い溝３６を穿設する代わりに、図１１に示すような、Ｌ字状の２個のカートリッジメモリストッパ３８を対向させて肉盗み溝１２ｈ内に設けてもよい。このカートリッジメモリストッパ３８は、カートリッジメモリ３０の磁気テープカートリッジの長さ方向に沿った長さに相当する距離を隔てた位置に立設されるものであり、その形状には特に制限はないが、カートリッジメモリ３０に対向する側には、後述する抜き勾配をかねる勾配を付けるのがよい。
【００９５】
図１２は、上述の参考例に関連する変更例を示しており、カートリッジの背面側、すなわち下ハーフ１２の背面壁に、肉盗み溝１２ｈ内から、カートリッジメモリ３０の両端を規制する、または支持する形状のカートリッジメモリストッパ４０を示すものである。この場合にも、このカートリッジメモリストッパ４０と同様に、カートリッジメモリ３０をセットする際の位置決めが、簡単に、かつ精度よく行えるようになるという効果が得られる。
【００９６】
また、本関連技術のさらに他の参考例に係るカートリッジとしては、カートリッジの下ハーフ１２に、ハブに巻かれた磁気テープ巻き玉（図示されていない）が遊動した際に、その位置規制を行うためのリブが、一定の曲率を以ってカートリッジメモリ３０が収納される肉盗み溝１２ｈ部分の近傍に形成されているものを挙げることができる。
【００９７】
なお、この磁気テープ巻き玉位置規制リブの長さ（カートリッジの長さ方向に直交する垂直面に沿った長さ）は、少なくとも、この磁気テープ巻き玉が遊動した際にも、これがカートリッジメモリ３０に接触することのないような長さで形成されている。
【００９８】
さらに、上記の磁気テープ巻き玉位置規制リブの、カートリッジの長さ方向に沿った先端の位置は、その相互間の距離が前述のカートリッジメモリ３０のカートリッジの長さ方向に沿った長さに設定されており、この磁気テープ巻き玉位置規制リブにより、前記肉盗み溝１２ｈ内にセットされるカートリッジメモリ３０の、カートリッジの長さ方向に沿った位置決めを行うことが可能に形成されている。
【００９９】
なお、上に説明した磁気テープ巻き玉位置規制リブには、モールド時に必要な抜き勾配が付けられているが、この抜き勾配の大きさについては、カートリッジメモリ３０に対向する側（カートリッジメモリ３０を挟んで互いに向かい合う面）の抜き勾配の大きさが、上記磁気テープ巻き玉側（カートリッジの前面側）の抜き勾配の大きさよりも大きく設定することが好ましい。
【０１００】
磁気テープ巻き玉位置規制リブの抜き勾配の大きさを、上述のように設定することにより、カートリッジメモリ３０を上記磁気テープ巻き玉位置規制リブの間のセット位置にセットする際の案内効果が向上する。なお、この抜き勾配の大きさの変更は、モールドに用いる型のごく一部を変更するものであり、容易に実施することが可能である。
【０１０１】
図１３に、上で説明した下ハーフ１２に設けられた磁気テープ巻き玉遊動位置規制リブに、より確実なカートリッジメモリ３０の位置決め機能を持たせた具体例を示す要部拡大平面図である。本実施例においては、上述の磁気テープ巻き玉遊動位置規制リブ４２のカートリッジメモリ３０に対向する面に、カートリッジメモリ３０の前後左右方向（カートリッジの長さ方向およびこれと直交する方向の両方向）の位置規制を行う切り欠き部４２ａ、４２ａを設けたものである。
【０１０２】
図１４は、本態様のさらに他の参考例に係るカートリッジの下ハーフ１２、カートリッジメモリ３０を取り付けた状況を示す斜視図である。本参考例においては、先に説明したハブに巻かれた磁気テープ巻き玉の遊動位置を規制するリブとして、肉盗み溝１２ｈ内のみに磁気テープ巻き玉遊動位置規制リブ４２ｂを形成し、その対向する端面により、カートリッジメモリ３０の、カートリッジの長さ方向に沿った位置決めを行うものである。
【０１０３】
ここでは、先に説明した各位置決め手段を、適宜組み合わせて用いることも有効である。例えば、カートリッジの長さ方向に沿った位置決めは、上記位置決め部５６ａによって行い、また、これと直交する方向に沿った位置決めは、前述の支承リブ３２のカートリッジメモリ３０の厚さに相当する切り欠き部によって行うことができる。
【０１０４】
上述の各参考例の説明では、前述の通り、いずれも、本関連技術を、ＪＩＳＸ６１２７（１９９２）にその構造，寸法諸元が規定されている磁気テープカートリッジに適用した例を説明したが、本関連技術はこれに限らず、他の種類の（すなわち、別の構造を有する）磁気テープカートリッジにも適用することが可能である。
【０１０５】
例えば、本関連技術を、前述のＪＩＳＸ６１２７（１９９２）にその構造，寸法諸元が規定されている磁気テープカートリッジよりも一回り大サイズのＤＶＣ（ＤigitalＶideoＣassette ）に適用した例を、図１５（ａ）および図１５（ｂ）に示す。ここでは、図１５（ａ）に示すＤＶＣの磁気テープ移動防止リブにより形成される三角形の空きスペースＣ（図１５（ｂ）の詳細図参照）内に、カートリッジメモリ３０をセットするようにしている。
【０１０６】
ここでは、上記の磁気テープ移動防止リブ４４，４４の間に、カートリッジメモリ３０を係止するための突起４４ａ，４４ａを設けることにより、簡単な構成で、精度よくカートリッジメモリ３０をセットすることを可能にしている。
これ以外にも、本関連技術が適用可能な磁気テープカートリッジは各種存在し、本関連技術の範囲には、そのような磁気テープカートリッジに適用した場合をすべて含むものである。
【０１０７】
すなわち、上記実施例はいずれも本関連技術の一例を示したものであり、本関連技術はこれらに限定されるべきものではないことは言うまでもない。
【０１０８】
次に、図１〜図３、図５（ａ）、（ｂ）、図１６および図１７を参照して、本発明の第３の関連技術に係る記録媒体カートリッジについて説明する。
ここでは、記録媒体カートリッジとして、一対の巻取ハブに巻き回された磁気テープ巻き玉を収容した磁気テープカートリッジを代表例として説明するが、本関連技術はこれに限定されるものではなく、他の磁気テープカートリッジに広く適用できることはいうまでもない。
【０１０９】
本発明の第３の関連技術の記録媒体カートリッジは、図１〜図３に示す磁気テープカートリッジ（カートリッジ）等において、図５（ａ）および（ｂ）に示す磁気テープに記録された情報の内容やカートリッジの情報を記録する非接触式メモリ（カートリッジメモリ）を、カートリッジケース内に収容される磁気テープ巻き玉の最大巻き径の周の形状に対応させて湾曲させ、その湾曲させた形状を利用して、カートリッジメモリがカートリッジケース内のリールエリアの内壁の一部を形成するように、カートリッジメモリをカートリッジケース内に組み込むようにしたものである。
【０１１０】
まず、本発明の第３の関連技術の第１実現形態について説明する。
第１実現形態は、図１６に示すように、下ハーフ１２の後端部の一方の隅に、カートリッジケース内に収容される磁気テープの最大巻き径の周（最外周）の形状に対応するように湾曲させたカートリッジメモリ３０（図５（ａ）および（ｂ）参照）を、上述した側壁の凹部１２ｋやハの字状に設けた壁状の部材（本形態では、リールエリアリブという）１２e 等とともに同一の円周上に配置し、リールエリアの内壁を形成するように取り付けたものである。
このように、カートリッジメモリ３０は、所定の曲率を持つように折り曲げて取り付けることができるだけの剛性を有している。また、カートリッジケースの隅の部分は、強度的にも強く、カートリッジメモリ３０を取り付けるのに適している。また、この隅の場所は、スライダ２０と、下ハーフ１２あるいは上ハーフ１１との間にある程度の隙間が生じるため、この場所にカートリッジメモリ３０を取り付けることで、防塵のための壁の役割を果たすこともできる。
【０１１１】
また、カートリッジメモリ３０の取り付け箇所は、図１６に示す位置のみでなく、下ハーフ１２の後端部のもう一方の隅でもよい。これらの例のようにカートリッジケースの隅にカートリッジメモリ３０を取り付けた場合には、デッキにカートリッジを装填したとき、カートリッジケースの後方側と側面との２方向からカートリッジメモリ３０の情報をアクセスすることができる。
【０１１２】
次に、本関連技術の第２実現形態について説明する。
第２実現形態は、図１７に示すように、第１実現形態と同様に、カートリッジケース内に収容される磁気テープの最大巻き径の周（最外周）の形状に対応するように湾曲させたカートリッジメモリ３０を、今度は、下ハーフ１２のリールエリアリブ１２e の一部を切り欠いて、その部分に、その湾曲を合わせて取り付けて、カートリッジメモリ３０によってリールエリアの内壁（の一部）を形成するようにしたものである。
このとき、カートリッジメモリ３０でリールエリアリブ１２e を置き換えた部分は強度的には弱くなるが、一部を切り欠いただけであり、また、リールエリアリブ１２e の端の部分を残すようにすることで、リールエリアリブ１２e の強度を十分保つことができる。
【０１１３】
また、このようにリールエリアリブ１２e の一部を切り欠いてその代わりにカートリッジメモリ３０を取り付けるのではなく、リールエリアリブ１２e を薄く削ってそこにカートリッジメモリ３０を貼り付けるようにしてもよい。貼り付ける場合には、リールエリアリブ１２e の外側に貼り付けてもよいし、カートリッジメモリ３０を逆の湾曲となるように撓ませてリールエリアリブ１２e の内側に貼り付けてもよい。
【０１１４】
以上説明した各実現形態によれば、湾曲させたカートリッジメモリを、その湾曲形状を利用して取り付けるようにしたことによって、カートリッジケース内のスペースを特に割くことなく取り付けが可能となるため、カートリッジケース内の他の諸機能を害することなく、小さなカートリッジケースにもカートリッジメモリを組み込むことが可能となる。
【０１１５】
なお、本関連技術は上で説明した磁気テープカートリッジに限定されるものではなく、１リール方式の磁気テープカートリッジや、さらに磁気テープカートリッジ以外にも磁気ディスクや光学記録媒体等の記録媒体カートリッジにも適用可能である。例えば１リール方式の磁気テープカートリッジの場合には、カートリッジメモリをそのリールの外周の形状に合わせて湾曲させて、リールエリアの内壁を構成する任意の位置に取り付ければよい。
【０１１６】
以上、本発明の第３の関連技術の磁気テープカートリッジついて、詳細に説明したが、本関連技術は、以上の例には限定されず、その要旨を逸脱しない範囲において、各種の改良や変更を行ってもよいのはもちろんである。
【０１１７】
次に、図１〜図３、図５（ａ）、（ｂ）および図１８〜図２１を参照して、本発明の第４の関連技術に係る記録媒体カートリッジについて説明する。
本発明の第４の関連技術に係る記録媒体カートリッジの各種の実現形態の説明に先だって、本実現形態における関連技術の適用対象である記録媒体カートリッジについて、その構成を説明する。
【０１１８】
本発明の第４の関連技術の第１の適用対象としては、平板状の四角形を有する下ハーフとこの下ハーフと相似の平面形状を有し、下ハーフの上部に重ね合わされる上ハーフとが、四隅部で互いにビス等の結合手段で結合されている、扁平な硬質プラスチック製のカートリッジケースを備え、このカートリッジケース内に、磁気テープを巻装した単一の磁気テープリール（以下、単にリールという）が回転可能に収容されている１リール方式の磁気テープカートリッジを挙げることができる。
【０１１９】
図１８に、上述のような構成を有する本関連技術の第１の実現形態の磁気テープカートリッジ５０に、前述のカートリッジメモリ３０（図５（ａ）および（ｂ）参照）を取り付けた状況を示す。本実施形態においては、カートリッジメモリ３０を、上述のカートリッジ５０の上ハーフ５２および下ハーフ５４からなるカートリッジケースの側壁に設けられている開口部分のリッド５６の裏側に取り付けている。この取り付けは、例えば、カートリッジメモリ３０のデータ通信用アンテナ部３０ｂ（図５（ａ）および（ｂ）参照）の内側のスペースを利用して、ビスにより行っている。
【０１２０】
このように構成された本実現形態に係るカートリッジ５０は、記録再生装置（デッキ）にセットされた際に、内部に収納されている磁気テープ５８を引き出すために、記録再生装置に設けられている開扉手段により、上記開口部分のリッド５６が開かれ、その裏側に取り付けているカートリッジメモリ３０が露出され、このカートリッジメモリ３０とデッキのデータ読取・書込装置との間でデータ通信が支障なく行えるようになる。
【０１２１】
すなわち、上記実現形態に示した磁気テープカートリッジ５０は、通常は、上記開口部分のリッド５６が閉じられており、カートリッジメモリ３０を、外部からの損傷から保護しているが、この磁気テープカートリッジ５０が記録再生装置にセットされた際には、内部の磁気テープ５８を引き出すために、上記開口部分のリッド５６が開かれて、カートリッジメモリ３０が露出され、媒介物の影響を受けずに、カートリッジメモリ３０と記録再生装置のデータ読取・書込装置との間でデータ通信（送受信）が支障なく行えるようになるという効果を有するものである。
【０１２２】
本発明の第４の関連技術の第２の適用対象としては、平板状の略四角形を有する上ハーフと下ハーフとが重ね合わされて四隅部で互いに結合されている扁平な硬質プラスチック製のカートリッジケース内に、磁気ディスクまたは光磁気ディスク等が回転可能に収容されているディスクカートリッジを挙げることができる。
図１９は、本関連技術の第２の実現形態に係るものであり、いわゆるフロッピディスク（ＦＤ）と同様のスライド方式のシャッタを有する磁気ディスクカートリッジ６０に、前述のカートリッジメモリ３０を取り付けた状況を示すものである。ここで、磁気ディスクカートリッジ６０は、上ハーフ６２と下ハーフ６４から構成されており、その間に磁気ディスク６８を収納しているものである。
【０１２３】
上ハーフ６２と下ハーフ６４には、それぞれ対向する位置に開口部６２ａ，６４ａが形成されており、また、上ハーフ６２と下ハーフ６４にまたがって、それらの表面（上側，下側）に形成されているスライド溝６２ｂ，６４ｂに沿ってスライド可能なシャッタ６６が設けられている。このシャッタ６６は、図示されていないスプリングにより、通常は、上記開口部６２ａ，６２ｂを遮蔽する方向に付勢されている。
【０１２４】
そして、上ハーフ６２の、通常はシャッタ６６により保護されている、上述の開口部６２ａの近傍に、前述のカートリッジメモリ３０が取り付けられている。このカートリッジメモリ３０は、磁気ディスクカートリッジ６０が記録再生装置にセットされた際に、記録再生装置に設けられている開扉手段により、上記開口部６２ａのシャッタ６６が開かれ、その下側の上ハーフ６２表面に取り付けているカートリッジメモリ３０が露出される。
【０１２５】
本実施形態に示した磁気ディスクカートリッジ６０は、通常は、上記開口部６２ａのシャッタ６６が閉じられており、カートリッジメモリ３０を、外部からの損傷から保護しているが、この磁気ディスクカートリッジ６０が記録再生装置にセットされた際には、上記シャッタ６６が開かれてカートリッジメモリ３０が露出され、媒介物の影響を受けずに、カートリッジメモリ３０と記録再生装置のデータ読取・書込装置との間でデータ送受信が支障なく行えるようになるという効果を有するものである。
【０１２６】
本発明第４の関連技術の第３の適用対象としては、図１〜図３に示すように、平板状の四角形を有する下ハーフとこの下ハーフと相似の平面形状を有し、下ハーフの上部に重ね合わされる上ハーフとが、四隅部で互いにビス等の結合手段で結合されている、扁平な硬質プラスチック製のカートリッジケース内に、一対の回転可能な巻取ハブ間に巻き回された磁気テープが収容されている２リール方式の磁気テープカートリッジを挙げることができる。
【０１２７】
図２０は、本態様の第３の実現形態に係るもので、上述の磁気テープカートリッジ１０に前述のカートリッジメモリ３０を取り付けた状況を示すものである。ここでは、カートリッジメモリ３０は、カートリッジ１０の上ハーフ１１の下面（裏側）の、スライダ２０が後退したときに形成される開口４６に対応する部分に取り付けられている。なお、取り付けは、カートリッジメモリ３０のアンテナ部３０ｂの内側のスペースを利用して、ビスにより行っている。
【０１２８】
上述のカートリッジ１０の上ハーフ１１の下面（裏側）へのカートリッジメモリ３０の取り付けに際しては、上ハーフ１１の下面（裏側）のカートリッジメモリ３０の取り付け位置周辺部を、できるだけ凹状にしておくことが好ましい。これは、磁気テープカートリッジ１０内における磁気テープ１６の走行時に無用の接触を避けるためである。
【０１２９】
上述のように構成された本実施形態に係る磁気テープカートリッジ１０においては、通常は、上述の開口４６がスライダ２０により遮蔽されているが、磁気テープカートリッジ１０が記録再生装置にセットされた際には、記録再生装置に設けられているテープローディング装置によって上記スライダ２０が後退させられて開口４６が出現することにより、磁気テープカートリッジ１０の上ハーフ１１の裏側に取り付けられているカートリッジメモリ３０が露出され、このカートリッジメモリ３０と記録再生装置のデータ読取・書込装置との間でデータ通信（送受信）が支障なく行えるようになるという効果を有するものである。
【０１３０】
図２１は、本発明の第４の実現形態に係るもので、前述のカートリッジ１０に前述のカートリッジメモリ３０を取り付けた状況を示すものである。ただし、図２０に示した第３の実現形態と異なる点は、ここでは、カートリッジメモリ３０は、カートリッジ１０の上ハーフ１１に回動可能に取り付けられている裏蓋（リッド）１８の裏面（内側）に取り付けられている点である。なお、取り付けは、カートリッジメモリ３０のアンテナ部３０ｂの内側のスペースを利用して、ビスにより行っている。
【０１３１】
ここでも、上述のカートリッジ１０のリッド１８の裏面（内側）へのカートリッジメモリ３０の取り付けに際しては、リッド１８の裏面（内側）のカートリッジメモリ３０の取り付け位置周辺部を、できるだけ凹状にしておくことが好ましい。理由は、上記と同様で、カートリッジ１０内における磁気テープ１６の走行時に無用の接触を避けるためである。
【０１３２】
上述のように構成された本実施形態に係るカートリッジ１０においては、通常は、上記リッド１８が閉じているため、カートリッジメモリ３０は外部からの損傷に対し保護されているが、カートリッジ１０が記録再生装置にセットされた際には、記録再生装置に設けられているテープローディング装置によって上記リッド１８が開かれることにより、カートリッジ１０のリッド１８の裏面（内側）に取り付けられているカートリッジメモリ３０が露出され、このカートリッジメモリ３０と記録再生装置のデータ読取・書込装置との間でデータ送受信が支障なく行えるようになるという効果を有するものである。
【０１３３】
また、これとは全く別の発想に基づく実施形態としては、例えば、上述のカートリッジ１０のリッド１８の裏面（内側）に取り付けられているカートリッジメモリ３０を、カートリッジ１０内を走行する磁気テープ１６の走行には悪影響を及ぼさない範囲で、軽く接触させるようにするという実施態様が挙げられる。
【０１３４】
この実施態様においては、前述の各実施態様によって得られる効果は極力維持したままで、さらに、磁気テープ１６の走行によって磁気テープ１６が帯電し、また、停止時に若干のたるみが発生したような場合にも、上述の帯電とたるみに起因する磁気テープ１６のジャミング（本来の行路から外れて、別の行路内で引っ掛かったりすること）を解消することが可能になるという効果が得られる。
【０１３５】
なお、上記各実施形態は本発明の一例を示したものであり、本発明はこれらに限定されるべきものではないことは言うまでもない。
【０１３６】
次に、図２２〜図２５（ｂ）を参照して、本発明の実施態様に係る記録媒体カートリッジ用カートリッジラベルについて説明する。
【０１３７】
図２２は、本発明の一実施態様に係る記録媒体カートリッジ用カートリッジラベルの一適用対象としてのビデオテープカセットへの適用例を示す斜視図である。
同図に示すように、本態様のカートリッジラベル１００は、記録媒体カートリッジとしてのビデオテープカセット（以下、単にビデオカセットという）１４０の背面に背ラベルとして取り付けられるものであって、このビデオカセット１４０に記録したデータ（ビデオデータ）に関して、記録時期やその内容などの情報を容易に確認できるようにしておくために用いられるものである。
【０１３８】
ところで、このような目的を達成するには、ビデオカセット１４０の背面に背ラベルとして取り付けられる従来のカートリッジラベルにおいては、カートリッジラベル上に、筆記または印字などで記録するというのが主要な方法である。近年では、前述のようなＩＣチップおよびアンテナ部を含む非接触式メモリ（ＩＣメモリ）であるカートリッジメモリなどが、従来のカートリッジラベル中に埋め込まれ、筆記などによる記録に加えて、このカートリッジメモリへの非接触式の磁気的記録を行う方法が提案され、利便性の大幅な向上が期待されるとされている。しかし、この従来技術のカートリッジラベルでは、カートリッジメモリ内のＩＣチップの保護については配慮されているが、アンテナ部の保護については考慮されておらず、アンテナ線（コイル）の損傷（断線など）を十分に防止できていないことは、先に説明した通りである。
【０１３９】
なお、ここで、留意すべき点は、ＩＣチップの場合は、所定の大きさの連続したエリアとして保護することが必要であるのに対して、アンテナ部については、これがコイル状のエリアを占有するものであることから、そのエリアの内側は、むしろ、区画されたエリアとして、積極的に利用することが有効であるという点である。
【０１４０】
ここで、本態様のカートリッジラベル１００としては、図２３に示すように、カートリッジメモリ１０２を埋め込んだものが用いられるが、例えば、カートリッジラベル１００を構成するラベル基体１１０の中に、情報記憶および信号処理を行うＩＣ部１０４、電力の供給を受け、情報の送受信を行うアンテナ部１０６およびこの両者を接続するリード線１０８を埋設した形に形成されているものが用いられる。なお、上記ラベル基体１１０は、ラベル本体１１２とその（図中）下面に貼接された両面接着テープ１１４とから構成されている。
【０１４１】
さらに、このラベル本体１１２は、図２４に示すように、コート紙１１２ａ，補強材１１２ｂ，ＩＣ部１０４とアンテナ部１０６とを保持するポリイミド基板１１２ｃならびにこれらを貼接するための感圧性接着剤層１１２ｅを有し、上記コート紙１１２ａ，補強材１１２ｂ，ポリイミド基板１１２ｃは、それぞれの間に介挿される２枚の感圧性接着剤層１１２ｅにより相互に接着され、一体的な構成をなしている。
上記補強材１１２ｂの、ＩＣ部１０４の取り付け位置に対応する位置には、ＩＣ部１０４がポリイミド基板１１２ｃから突出していることに鑑みて、ＩＣ部１０４を衝撃から保護するために、切り欠き（孔）１１６を設けている。
【０１４２】
なお、ここでは、カートリッジメモリ１０２として、ＩＣ部１０４とアンテナ部１０６とが別体に構成され、これらをリード線１０８で接続したものを用いている。すなわち、図２３に示したように、カートリッジメモリ１０２のＩＣ部１０４はビデオカセット１４０（図２２参照）の一端部に位置しており、一方、アンテナ部１０６はビデオカセットの略中央部に位置しており、これらの間はリード線１０８により接続されている。
【０１４３】
そして、これらのカートリッジメモリの各構成要素の上層のラベル表面には、ＩＣ部１０４の部分については、例えばメーカー名，このビデオカセットのタイプ，このビデオカセット内に収容されているビデオテープのタイプなどの情報が記載（印刷）されており、実質的に、ユーザが付加的な記載を行うことができないような領域が形成されている。
【０１４４】
また、一方、アンテナ部１０６については、アンテナの形状、すなわち、コイル状のアンテナの線幅よりも少し広めの枠状の印刷（アンテナ部保護表示）を行ってあり、この枠の内側が一つの情報記載欄、すなわち情報記載エリアであることを強調する構成となっている。この情報記載欄であることを強調する方法としては、ここに、例えば、記録（放送）年月日，タイトルなどの記載項目を印刷しておく方法がある。
【０１４５】
さらに、この枠を、カートリッジラベル全体の中での統一的なタイトル記載欄と位置付けたり、ナンバリングするための数字記載用の７セグメントの数字素子をプレ印刷した数字記載欄としたりすることで、複数のビデオカセットを通しての見出し記載用の領域としたりすることにより、この枠内が記載領域（情報記載エリア）であることを強調することも有効である。
【０１４６】
以下、これについて具体的に説明する。
図２５（ａ）および図２５（ｂ）は、それぞれ本発明に係るカートリッジラベルの一実施例を示す上面図である。図２５（ａ）および図２５（ｂ）に示すように、カートリッジラベル１００の内層には、その内部に収納されているカートリッジメモリ１０２内のＩＣ部１０４とアンテナ部１０６およびこれらを接続するリード線１０８が、破線で示されるように配設されている。
【０１４７】
そして、これらのＩＣ部１０４とアンテナ部１０６の上方のカートリッジラベル１００の表面には、それぞれ、ＩＣ保護用の記載欄１２４とアンテナ保護用の記載欄（アンテナ部保護表示）１２６とが設けられている。このうち、ＩＣ保護用の記載欄１２４は、先に説明したような、このビデオカセット１４０（図２２参照）のメーカー名，タイプ、さらにはこのビデオカセット１４０内に収容されているビデオテープのタイプなどの情報が記載（印刷）された、実質的に、ユーザが付加的な記載を行うことができないような領域である。
【０１４８】
また、アンテナ保護用の記載欄１２６としては、ここでは、アンテナ部１０６のコイル状のアンテナのコイル幅よりも幾分広めの幅を持った、コイル状のアンテナと略同形状の枠（アンテナ部保護表示）１２７が形成され、この枠１２７上へのユーザの付加的な記載を実質的に不可としてアンテナを保護するとともに、この枠１２７の内部は、ユーザがこのビデオカセット１４０（図２２参照）を用いて記録するデータに関する情報を記載できる情報記載エリアとなっている。
例えば、図２５（ａ）に示すように、この枠１２７の内部には、ユーザに、このビデオカセット１４０を用いて記録するデータの、記録（放送）年月日，タイトルなどを記載を促すためのこれらについての記載項目が予め印刷されている。
【０１４９】
また、図２５（ｂ）に示す例では、アンテナ保護用の記載欄１２６の枠１２７の内部には、このビデオカセット１４０（図２２参照）の保存番号のような番号付けを容易にするための、数字記載用の７セグメントの数字形成素子をプレ印刷した数字記載欄としている。
このように、アンテナ保護用の記載欄１２６では、その枠１２７の内部へのユーザの記載を積極的に促すことにより、記載欄１２６の枠１２７の内部の有効利用を図るとともに、その枠１２７への記載を回避し、アンテナ保護を図ることができる。
なお、図２５（ａ）に示す例では、これらのリード線１０８の上方のカートリッジラベル１００表面にも、リード線保護用の記載欄１２８が設けられている。このリード線保護用の記載欄１２８では、リード線１０８を保護するために、リード線１０８で囲まれる領域の内側にリード線１０８と略同形状の枠１２９が形成されている。このリード線保護用の記載欄１２８においても、アンテナ保護用の記載欄１２６と同様に、この枠１２７の内部のみに、ユーザの記載領域を制限し、この枠１２９外へのユーザの付加的な記載を実質的に不可としてリード線１０８を保護するとともに、ユーザの記載を促すように、タイトルなどの記載項目を印刷している。このリード線保護用の記載欄１２８でも、アンテナ保護用の記載欄１２６と同様に、リード線１０８をカバーし、保護するために、リード線１０８の線幅よりも幾分広めの幅を持った、リード線１０８と略同形状の枠１２９が形成されていてもよい。その結果、このリード線保護用の記載欄１２８でも、アンテナ保護用の記載欄１２６と同様な保護効果および有効利用効果を図ることができる。
なお、図２５（ａ）および図２５（ｂ）において、１３０、１３２、１３４は、ＩＣ保護またはアンテナ保護の機能を有しない一般的な記載欄を示している。
【０１５０】
上述のように構成された本実施形態に係るビデオカセット用のカートリッジラベル１００においては、ユーザにより、ボールペンなどによる筆記が行われた場合に、ＩＣ部１０４はもとより、アンテナ部１０６についても、さらには、リード線１０８についても、損傷が生ずる危険性が回避可能になるという効果が得られる。
【０１５１】
また、例えば任意の時点において、このカートリッジラベル１００を貼接したビデオカセット１４０（図２２参照）を図示しない記録再生装置にセットして、この記録再生装置に設けられている書込・読出手段により、上記カートリッジラベル１００内のカートリッジメモリ１０２と記録再生装置のデータ読取・書込装置との間で、データ送受信を行うことができるようになる。
【０１５２】
なお、カートリッジラベル１００の表面にユーザによる記載を実質的に不可とするアンテナ保護用の記載欄１２６を形成して、アンテナ部保護表示を施す方法としては、例えば、印刷により形成する方法が最も簡便であるが、予めアンテナ部の大きさに合わせて用意したシールを貼り付ける方法も、変化に対応し易いという点で、有効な方法である。
【０１５３】
また、アンテナ保護用の記載欄１２６は、アンテナ部１０６を構成するループ状アンテナの内側のエリア、すなわち枠１２７の内側の領域が情報記載エリアであることを示す、デザインと一体化されているものであるのがよい。ここで、デザインと一体化されているという意味は、ループ状アンテナをカバーする枠状のエリアの表記が、他のエリアの周囲の枠と結合ないしは関連して、全体として１つのデザインを形成している状況をいう。
【０１５４】
なお、非接触式メモリであるカートリッジメモリ１０２は高価であるので、これを再使用できるように配慮しておくのがよい。そのためには、例えば、カートリッジラベル１００を、記録媒体カートリッジであるビデオカセット１５０に設けたスライド溝内に挿通・引出し可能に構成し、用済み後は、当該ビデオカセット１５０のスライド溝から引出して、別の記録媒体カートリッジに挿通・保持するように構成する方法が、好適に示される。
【０１５５】
なお、上記実施形態は、本発明の一例を示したものであり、本発明は上記実施形態に限定されるものではなく、本発明の趣旨を逸脱しない範囲内において、種々の変更や改良を行ってもよいことはいうまでもない。
【図面の簡単な説明】
【０１５６】
【図１】本発明に係る記録媒体カートリッジが適用される磁気テープカートリッジの一実施例の概略分解斜視図である。
【図２】本発明に係る記録媒体カートリッジが適用される磁気テープカートリッジの他の実施例の要部の構成を示す概略分解斜視図である。
【図３】図２に示す磁気テープカートリッジの不使用時における収納状態を示す概略側面図である。
【図４】本発明の第１の関連技術に係る記録媒体カートリッジの要部を示し、図１に示す磁気テープカートリッジにおいて、非接触式メモリが取り付けられた下ハーフの一実施例の概略分解斜視図である。
【図５】（ａ）および（ｂ）は、それぞれ図４に示す磁気テープカートリッジに配置される非接触式メモリの一実施例の概念的な平面図である。
【図６】本発明に係る記録媒体カートリッジの作用を説明するための、図４に示す磁気テープカートリッジの下ハーフの概略平面図である。
【図７】本発明の第２の関連技術に係る記録媒体カートリッジの要部を示し、図１に示す磁気テープカートリッジ（カセット）において、非接触式メモリを取り付けた下ハーフの一実施例を示す斜視図である。
【図８】図７に示す磁気テープカートリッジの下ハーフの、背面側からの側面図である。
【図９】本発明の関連技術に係る記録媒体カートリッジである磁気テープカートリッジの他の実施例を、長さ方向に直交する垂直面で切った要部断面図である。
【図１０】本発明の関連技術に係る磁気テープカートリッジの他の実施例を、長さ方向に直交する垂直面で切った要部断面図である。
【図１１】本発明の関連技術に係る磁気テープカートリッジの他の実施例の要部の構成を示す斜視図である。
【図１２】本発明の関連技術に係る磁気テープカートリッジの他の実施例の要部の構成を示す斜視図である。
【図１３】本発明の関連技術に係る磁気テープカートリッジの他の実施例の下ハーフに、非接触式メモリを取り付けた状況を示す拡大平面図である。
【図１４】本発明の関連技術に係る磁気テープカートリッジの他の実施例の下ハーフに、非接触式メモリを取り付けた状況を示す概略斜視図である。
【図１５】（ａ）は、本発明の関連技術に係る記録媒体カートリッジが適用される他の構造を有する磁気テープカートリッジの平面図であり、（ｂ）は、（ａ）に示す磁気テープカートリッジに本発明が適用された状況を示す要部拡大図である。
【図１６】本発明の第３の関連技術に係る記録媒体カートリッジの要部を示し、図１に示す磁気テープカートリッジにおいて、非接触式メモリが取り付けられた下ハーフの一実施例を示す概略斜視図である。
【図１７】図１に示す磁気テープカートリッジにおいて、非接触式メモリが取り付けられた下ハーフの他の実施例を示す概略斜視図である。
【図１８】本発明の第４の関連技術に係る記録媒体カートリッジである磁気テープカートリッジの一実施例を示し、磁気テープカートリッジへの非接触式メモリの取り付け例を示す概略斜視図である。
【図１９】本発明の関連技術の磁気テープカートリッジの他の実施例を示す概略斜視図である。
【図２０】本発明の関連技術の磁気テープカートリッジの他の実施例を示す概略斜視図である。
【図２１】本発明の関連技術の磁気テープカートリッジの他の実施例を示す概略斜視図である。
【図２２】本発明の一実施形態に係るカートリッジラベルの、一適用対象であるビデオカセットへの一適用例を示す斜視図である。
【図２３】本発明に係るカートリッジラベルの一実施例の基本構成を示す斜視図である。
【図２４】図２３に示すカートリッジラベルのラベル基体の詳細な構成を示す分解斜視図である。
【図２５】（ａ）および（ｂ）は、それぞれ本発明に係るカートリッジラベルの一実施例であるビデオカセット用のカートリッジラベルの外観図である。
【図２６】従来の磁気テープカートリッジの一例を示す概略斜視図である。
【符号の説明】
【０１５７】
１０，５０，６０，１４０  （磁気テープ）カートリッジ
１１，５２，６２  上ハーフ
１２，５４，６４  下ハーフ
１２ａ  （下ハーフの）底面
１２ｂ  リール軸挿入孔
１２ｅ  リールエリアリブ
１２ｇ  柱状のリブ
１２ｈ  肉盗み溝
１２ｉ，１２ｊ  ネジ孔
１２ｋ  凹部
１２ｌ  磁気テープ保護シートの位置規制ピン
１４ａ，１４ｂ  （供給側、巻取側）巻取ハブ
１５ａ，１５ｂ  歯車
１６，５８  磁気テープ
１８，５６  前蓋（リッド）
２０  スライダ
２２  ブレーキ部材
２２ａ，２２ｂ  制動片
２４  ブレーキバネ
２６  板バネ
３０  カートリッジメモリ（メモリ素子）
３０ａ  ＩＣ部（ＩＣチップ）
３０ｂ  アンテナ部（データ送受信アンテナ）
３２  位置規制ピンの変形防止用支承リブ
３２ａ  支承リブの切り欠かれた部分
３４  支承リブの面取り部分
３６  肉盗み溝内の一段深い溝
３８  カートリッジメモリストッパ
４２  磁気テープ巻き玉位置規制リブ
４４  カートリッジメモリ係止用突起
６２ａ，６４ａ  開口部
６２ｂ，６４ｂ  スライド溝
６６  シャッタ
６８  磁気ディスク
１００  カートリッジラベル
１０４  ＩＣ部
１０６  アンテナ部
１０８  リード線
１１０  ラベル基体
１１２  ラベル本体
１１４  両面接着テープ
１２４  ＩＣ保護用記載欄
１２６，１２８  アンテナ保護用記載欄
１３０，１３２，１３４  他の記載欄
【図１】
2008293646.tif 000003
【図２】
2008293646.tif 000004
【図３】
2008293646.tif 000005
【図４】
2008293646.tif 000006
【図５】
2008293646.tif 000007
【図６】
2008293646.tif 000008
【図７】
2008293646.tif 000009
【図８】
2008293646.tif 000010
【図９】
2008293646.tif 000011
【図１０】
2008293646.tif 000012
【図１１】
2008293646.tif 000013
【図１２】
2008293646.tif 000014
【図１３】
2008293646.tif 000015
【図１４】
2008293646.tif 000016
【図１５】
2008293646.tif 000017
【図１６】
2008293646.tif 000018
【図１７】
2008293646.tif 000019
【図１８】
2008293646.tif 000020
【図１９】
2008293646.tif 000021
【図２０】
2008293646.tif 000022
【図２１】
2008293646.tif 000023
【図２２】
2008293646.tif 000024
【図２３】
2008293646.tif 000025
【図２４】
2008293646.tif 000026
【図２５】
2008293646.tif 000027
【図２６】
2008293646.tif 000028